(57)【要約】【課題】肩部を押し潰すことができて、内容物を絞り出しやすく、また、押し潰した肩部が自然に元の形状に戻る可撓性容器とキャップ付き容器を提供する。【解決手段】胴部と胴部より細い口頸部を有し、口頸部の先端の開口部より内容物を押出す可撓性容器であって、胴部と口頸部の間の肩部を有し、肩部は、ドーム形状部を有し、ドーム形状部の下方に周方向にリング状の肩部溝が設けられ、かつ、ドーム形状部に縦方向の外側に盛り上がった肩部リブが設けられていることを特徴とする。【選択図】図３
2014019460.tif 000002
【特許請求の範囲】
【請求項１】
胴部と胴部より細い口頸部を有し、該口頸部の先端の開口部より内容物を押出す可撓性容器であって、
前記胴部と前記口頸部の間の肩部を有し、該肩部は、ドーム形状部を有し、該ドーム形状部の下方に周方向にリング状の肩部溝が設けられ、かつ、該ドーム形状部に縦方向の外側に盛り上がった肩部リブが設けられていることを特徴とする可撓性容器。
【請求項２】
請求項１に記載の可撓性容器とキャップからなるキャップ付き容器であって、
前記キャップの内側で雌螺子より上方に設けられ、周方向にリング状のキャップリブと、前記可撓性容器の前記口頸部の外周面で、雄螺子より先端側の開口部の近傍に設けられた口頸部溝とが、キャップを口頸部に嵌めたときに、嵌合するようにしたことを特徴とするキャップ付き容器。
【請求項３】
前記口頸部の先端の開口部が蓋材で閉鎖され、該蓋材のタブが、上方に折り返されていることを特徴とする請求項２に記載のキャップ付き容器。
【請求項４】
前記蓋材が、前記開口部を閉鎖するようにシールされる円形の閉鎖部と該閉鎖部より小さい円形部を有する前記タブからなり、前記キャップの内側上面から下方に突出したコンタクトリングが、折り返された前記タブの円形部より外側に位置していることを特徴とする請求項３に記載のキャップ付き容器。
【請求項５】
前記蓋材が、樹脂フィルム層とアルミニウム箔とシール層が、順次積層された層構成からなり、前記樹脂フィルム層が、ポリエステル系樹脂、あるいは、ポリアミド系樹脂からなる２軸延伸フィルムであることを特徴とする請求項３または４に記載のキャップ付き容器。
【発明の詳細な説明】
【技術分野】
【０００１】
本発明は、可撓性容器とキャップ付き容器に関するものである。
【背景技術】
【０００２】
従来から、マヨネーズ、ケチャップ、練りからし、練り歯磨きなどの、比較的粘度の高い内容物であるペースト状や粘稠性を有する食品または非食品は、ブロー成形ボトルや、下端部を扁平状に折り返して封鎖したチューブ容器などの、容器を押して内容物を絞り出す可撓性容器に充填され使用されている。
【０００３】
上述のような比較的粘度の高い内容物は、可撓性容器より絞り出して用いるが、内容物が残り少なくなってくると、最後まで出し切ることはできない。特に、一般的に肩部は押し潰しにくく、この部分の内側に残った内容物を絞り出すことは、なかなか容易ではなかった。
【０００４】
容器を押し潰すものとして、廃棄のために押し潰して減容化するものがある。この容器は、胴部の上部に、細溝状に成形された横溝を周設し、この横溝から上方の胴部上端部分の高さを、押し潰し方向に沿った胴部上端部径の略１／２にし、この胴部上端部分に、押し潰し方向に対して下り勾配の傾斜溝を前後左右対称に設け、横溝から下方の胴部主体部分の、押し潰し方向に対する両側端部に、縦溝を設けたものである（特許文献１）。
【０００５】
また、口頸部を押潰し変形させ易くして、口頸部や口頸部の近傍の部分に残された内容物を容易に吐出させることのできる可撓性容器として、口頸部の外周面に設けられた雄ネジで、雄ネジの凸条部が欠けた間欠部が口頸部の軸方向に並んで配置され、且つ、間欠部が口頸部の周方向で対向する位置に設けられている可撓性容器がある。この可撓性容器には、さらに、口頸部又は前記口頸部の近傍部分から下方に向かって延びる陥没誘導線が設けられている（特許文献２）。
【０００６】
公知文献を以下に示す。
【先行技術文献】
【特許文献】
【０００７】
【特許文献１】特開２００１−２１９９４８号公報
【特許文献２】特開２００８−２１３８８３号公報
【発明の概要】
【発明が解決しようとする課題】
【０００８】
上記特許文献１の容器では、胴部を押し潰すことは出来ても、肩部が潰れることがなく、この部分の内容物は出すことができない。また、特許文献２の可撓性容器では、押し潰すことは出来ても元に戻らず、再度、キャップをして保存することが難しい。
【０００９】
本発明は上記した事情に鑑みてなされたもので、肩部を押し潰すことができて、内容物を絞り出しやすく、また、押し潰した肩部が自然に元の形状に戻る可撓性容器とキャップ付き容器を提供することを課題としている。
【課題を解決するための手段】
【００１０】
本発明の請求項１に係る発明は、胴部と胴部より細い口頸部を有し、該口頸部の先端の開口部より内容物を押出す可撓性容器であって、
前記胴部と前記口頸部の間の肩部を有し、該肩部は、ドーム形状部を有し、該ドーム形状部の下方に周方向にリング状の肩部溝が設けられ、かつ、該ドーム形状部に縦方向の外側に盛り上がった肩部リブが設けられていることを特徴とする可撓性容器である。
【００１１】
本発明の可撓性容器は、肩部にドーム形状部を有しているので、肩部を簡単に指などで押し潰すことが出来る。また、該ドーム形状部の下方に周方向にリング状の肩部溝が設けられ、ドーム形状部に縦方向の外側に盛り上がった肩部リブが設けられているので、押し潰すのをやめて、指などを離すと、押し潰した肩部が元の形状に戻る。
【００１２】
本発明の請求項２に係る発明は、請求項１に記載の可撓性容器とキャップからなるキャップ付き容器であって、
前記キャップの内側で雌螺子より上方に設けられ、周方向にリング状のキャップリブと、前記可撓性容器の前記口頸部の外周面で、雄螺子より先端側の開口部の近傍に設けられた口頸部溝とが、キャップを口頸部に嵌めたときに、嵌合するようにしたことを特徴とするキャップ付き容器である。
【００１３】
本発明のキャップ付き容器は、キャップの雌螺子より上方に設けられたキャップリブが、可撓性容器の口頸部の雄螺子より先端側の開口部の近傍に設けられた口頸部溝に嵌合するようになっているので、キャップを口頸部に嵌めたときに嵌合した感触がしっかり得られる。また、キャップと口頸部の開口部とがしっかり密着される。
【００１４】
本発明の請求項３に係る発明は、前記口頸部の先端の開口部が蓋材で閉鎖され、該蓋材のタブが、上方に折り返されていることを特徴とする請求項２に記載のキャップ付き容器である。
【００１５】
本発明のキャップ付き容器は、開口部を閉鎖する蓋材のタブが、上方に折り返されているので、キャップの周壁内面にぶつかることを考慮する必要がなく大きくすることが出来る。
【００１６】
そのため、開口部が小さい径の容器にも大きなタブを取り付けることができ、開口部が開封しやすい。また、開口部に蓋材を設けても、口頸部溝にタブが入ることがなく、口頸部溝とキャップリブの嵌合を阻害することがない。
【００１７】
本発明の請求項４に係る発明は、前記蓋材が、前記開口部を閉鎖するようにシールされる円形の閉鎖部と該閉鎖部より小さい円形部を有する前記タブからなり、前記キャップの内側上面から下方に突出したコンタクトリングが、折り返された前記タブの円形部より外側に位置していることを特徴とする請求項３に記載のキャップ付き容器である。
【００１８】
本発明のキャップ付き容器は、折り返されたタブの円形部より、コンタクトリングが外側に位置しているので、キャッピングするときに、コンタクトリングがタブをつれまわして破断したり、蓋材を剥がしてしまったりする恐れが無い。
【００１９】
本発明の請求項５に係る発明は、前記蓋材が、樹脂フィルム層とアルミニウム箔とシール層が、順次積層された層構成からなり、前記樹脂フィルム層が、ポリエステル系樹脂、あるいは、ポリアミド系樹脂からなる２軸延伸フィルムであることを特徴とする請求項３または４に記載のキャップ付き容器である。
【００２０】
本発明のキャップ付き容器は、蓋材が、樹脂フィルム層とアルミニウム箔とシール層が順次積層された層構成からなり、樹脂フィルム層が、ポリエステル系樹脂、あるいは、ポリアミド系樹脂からなる２軸延伸フィルムであるので、高周波シールに対する耐熱性があ
り、また、腰があるので、折り返されたタブが浮きやすく、蓋材を剥がすときに摘まみやすい。
【発明の効果】
【００２１】
本発明の可撓性容器、および、この可撓性容器とキャップからなるキャップ付き容器は、肩部を簡単に指などで押し潰すことができ、内容物を絞り出しやすい。また、押し潰すのをやめて、指などを離すだけで、押し潰した肩部が自然に元の形状に戻り、サイドキャップをするときに問題が生じることがない。
【図面の簡単な説明】
【００２２】
【図１】本発明の可撓性容器の一例を模式的に正面で示した説明図である。
【図２】本発明のキャップ付き容器の一例に用いるキャップを左半分は正面で示し、右半分は断面で示した説明図である。
【図３】本発明のキャップ付き容器のキャップの一例の上部を部分拡大し、可撓性容器を模式的に正面で示し、右半分にはキャップと蓋材の断面を模式的に示した説明図である。
【図４】本発明のキャップ付き容器の一例に用いる蓋材を模式的に平面で示した説明図で、（Ａ）平坦な状態、（Ｂ）タブを上方に折り返した状態である。
【発明を実施するための形態】
【００２３】
以下本発明を実施するための形態につき説明する。
【００２４】
図１は、本発明の可撓性容器の一例を模式的に正面で示した説明図、図２は、本発明のキャップ付き容器の一例に用いるキャップを左半分は正面で示し、右半分は断面で示した説明図、図３は、本発明のキャップ付き容器のキャップの一例の上部を部分拡大し、可撓性容器を模式的に正面で示し、右半分にはキャップと蓋材の断面を模式的に示した説明図、図４は、本発明のキャップ付き容器の一例に用いる蓋材を模式的に平面で示した説明図で、（Ａ）は、平坦な状態、（Ｂ）は、タブを上方に折り返した状態である。
【００２５】
本例の可撓性容器１００は、図１、図３のように、口頸部１と、肩部２と、胴部３とからなっていて、口頸部１の先端に設けられた開口部１０より内容物を押出す可撓性容器１００である。
【００２６】
口頸部１には、開口部１０の下の近傍には、周方向にリング状に凹んだ口頸部溝１１が設けられている。そして、その口頸部溝１１の下方には、雄螺子１２が設けられている。雄螺子１２は２条螺子になっている。
【００２７】
肩部２には、丸屋根のようなドーム形状部１３を有し、ドーム形状部１３に、は縦方向の外側に盛り上がった肩部リブ１４が設けられている。そして、肩部２には、ドーム形状部１３の下方に周方向にリング状の肩部溝１５が設けられている。
【００２８】
可撓性容器１００を構成する材質は、ポリエチレン、ポリプロピレン等のポリオレフィン系樹脂や、ポリアミド（ナイロン）系樹脂、あるいは、ポリエチレンテレフタレートやポリエチレンナフタレート等の熱可塑性ポリエスエル系樹脂などの熱可塑性樹脂を使用することができる。
【００２９】
またバリア性が必要な場合は、中間層にエチレン／ビニルアルコール共重合体や、メタキシレンジアミン/アジピン酸からなるいわゆるＭＸＤナイロンなどのバリア性樹脂を用いた多層容器とすることができる。また、成形方法としては、ブロー成形法が好ましく用いられる。
【００３０】
以上のように、本例の可撓性容器１００は、肩部２にドーム形状部１３を有しているので、肩部２を簡単に指などで押し潰すことが出来る。また、ドーム形状部１３の下方に周方向にリング状の肩部溝１５が設けられ、ドーム形状部１３に縦方向の外側に盛り上がった肩部リブ１４が設けられているので、押し潰すのをやめて、指などを離すと、押し潰した肩部２が元の形状に戻ることができる。
【００３１】
キャップ２００は、図２あるいは図３のように、キャップ２００の内側上面の天面板２１から下方に突出したコンタクトリング２２が設けられ、キャップ２００を可撓性容器１００に嵌めたときに、開口部１０を閉鎖するようになっている。
【００３２】
キャップ２００の内側上方で天面板２１の下方で、内側壁２３の内面側に、内方に突出する周方向にリング状のキャップリブ２４が設けられている。このキャップリブ２４は、可撓性容器１００の口頸部１に設けられた周方向にリング状に凹んだ口頸部溝１１と、嵌合するようになっていて、螺合する際の回り止めになっている。また、この嵌合により、廻した手に嵌合した感覚が得られる。
【００３３】
キャップリブ２４の下方には、雌螺子２５が設けられている。この雌螺子２５と雄螺子１２が螺合して、可撓性容器１００にキャップ２００が取り付けられる。
【００３４】
キャップ２００の材質としては、通常の熱可塑性樹脂が使用可能であり、ポリエチレン、ポリプロピレン等のポリオレフィン系樹脂や、ポリエチレンテレフタレート等のポリエステル系樹脂、ナイロン等のポリアミド系樹脂等が使用可能である。また、キャップ２００の成形方法としては、通常の射出成形法が用いられる。
【００３５】
以上のように、口頸部溝１１が口頸部１の先端の開口部１０の近傍に設けられていて、キャップ２００に設けられたキャップリングと嵌合するようになっているので、キャップ２００を口頸部１に嵌めたときに嵌合した感触がしっかり得られる。また、キャップ２００と口頸部１の開口部１０とがしっかり密着される。
【００３６】
蓋材３００は、図３のように、可撓性容器１００の口頸部１の開口部１０を塞ぐように取り付けられ、開口部１０が蓋材３００で閉鎖されている。そして、蓋材３００は、折返し部３１で上方に折り返されている。
【００３７】
また、蓋材３００は、図４（Ａ）のように、可撓性容器１００の開口部１０を閉鎖するようにシールされる円形の閉鎖部３２と、タブ３３からなり、タブ３３は閉鎖部３２より小さい円形部３４を有している。
【００３８】
蓋材３００を折返し部３１で上方に折り返すと、図４（Ｂ）のように、閉鎖部３２と円形部３４は同心円のように重なる。このような状態で蓋材３００は可撓性容器１００の開口部１０に取り付けられて、キャップ２００が嵌められ、キャップ付き容器となっている。
【００３９】
閉鎖部３２は、開口部１０の周壁の端部にシールされるため、この周壁の端部の外周と同じか、または多少大きくなっている。キャップ２００のコンタクトリング２２は、開口部１０の周壁の端部に接触するように設けられていて、コンタクトリング２２より、タブ３３の円形部３４は、小さくなっていて、コンタクトリング２２の内側に位置するようになっている。
【００４０】
蓋材３００は、アルミニウム箔にシール層を設けた構成で、且つ、アルミニウム箔のシール層と反対面には、樹脂フィルム層が設けられている。この樹脂フィルム層の腰を利用して、折り返された蓋材３００が平坦に戻ろうとして、タブ３３が閉鎖部３２から離れ、指で摘まみ易くなっている。
【００４１】
樹脂フィルム層としては、２軸延伸フィルムが好ましく使用することができる。特に、ポリエチレンテレフタレート等のポリエステル系樹脂、あるいは、ナイロン等のポリアミド系樹脂からなる２軸延伸フィルムが腰もあり、耐熱性もあるので、好ましく用いることができる。
【００４２】
アルミニウム箔は、蓋材３００を折り曲げたときに折り癖を付ける為に必須である。また、バリア層としての機能を有しており、さらには高周波により発熱する機能を利用して、高周波シールにて溶着することも可能である。
【００４３】
樹脂フィルム層とアルミニウム箔の厚さを調整することによって、蓋材３００を折った時、タブ３３の浮き上がりを調整する。すなわち、樹脂フィルム層の材質にもよるが、樹脂フィルム層を厚くすると、タブ３３が浮きやすくなり、アルミニウム箔を厚くすると曲がった蓋材３００が戻りにくくなり、タブ３３が浮かなくなる。
【００４４】
シール層には、可撓性容器１００の開口部１０にシールするので、これに融着可能な熱溶融性の樹脂が用いられる。たとえば、可撓性容器１００が低密度ポリエチレンや、直鎖状低密度ポリエチレンで出来ている場合は、シール層にもポリエチレンを用いることができる。
【００４５】
以上のように、本例のキャップ付き容器は、開口部１０を閉鎖する蓋材３００のタブ３３が、上方に折り返されているので、キャップ２００の周壁内面にぶつかることを考慮する必要がなく大きくすることが出来る。そのため、開口部１０が小さい径の可撓性容器１００にも大きなタブ３３の蓋材３００を取り付けることができ、タブ３３が持ちやすく、開口部１０を開封しやすい。
【００４６】
また、折り返されたタブ３３の円形部３３より、コンタクトリング２２が外側に位置しているので、キャッピングするときに、コンタクトリング２２がタブ３３をつれまわして破断したり、蓋材３００を剥がしてしまったりする恐れが無い。
【００４７】
以上のように、本発明の可撓性容器、および、キャップ付き容器は、香辛料などの粘性物用の、押し潰して内容物を絞り出すことができ、自然にもとの形状に戻る、開口部を細く絞ったブローチューブなどに使用することができる。また、このような、開口部が小口径の可撓性容器に、大きなタグの蓋材を取り付けて、タグを掴みやすくするのに利用することができる。さらに、ロックアップしてしっかり閉める必要のある容器として使用することができる。
【符号の説明】
【００４８】
１００・・・可撓性容器
１・・・口頸部
２・・・肩部
３・・・胴部
１０・・・開口部
１１・・・口頸部溝
１２・・・雄螺子
１３・・・ドーム形状部
１４・・・肩部リブ
１５・・・肩部溝
２００・・・キャップ
２１・・・天面板
２２・・・コンタクトリング
２３・・・内側壁
２４・・・キャップリブ
２５・・・雌螺子
３００・・・蓋材
３１・・・折返し部
３２・・・閉鎖部
３３・・・タブ
３４・・・円形部
【図１】
2014019460.tif 000003
【図２】
2014019460.tif 000004
【図３】
2014019460.tif 000005
【図４】
2014019460.tif 000006